(57)【要約】【課題】人手をかけず、かつ簡易な手段で重量物をスライドさせて所定位置に位置決めする方法を提供する。【解決手段】紙基材４上に剥離面５が設けられた剥離紙を、その剥離面が互いに重ね合わされた滑動具１として形成し、この滑動具を載置面２とその上に置かれた重量物３との間に挟み入れた状態で重量物を横方向に押圧する。この場合、滑動具の上側と下側に配置される上側剥離紙６と下側剥離紙７は、各々の紙基材４の摩擦抵抗により、重量物と載置面に固定された状態が保持される一方で、各々の剥離面の低摩擦係数により、互いに重ね合わされた剥離面同士が相対的に押圧方向に滑動するので、弱い力でも重量物をスライドさせて所定位置に位置決めすることができる。【選択図】      図１
2004168457.tif 000002
【特許請求の範囲】
【請求項１】
紙基材上に剥離面が設けられた剥離紙を、その剥離面が互いに重ね合わされた滑動具として形成し、
この滑動具を載置面とその上に置かれた重量物との間に挟み入れた状態で重量物を横方向に押圧することを特徴とする重量物のスライド方法。
【請求項２】
滑動具が、二枚の剥離紙から形成されたものである請求項１に記載の重量物のスライド方法。
【請求項３】
滑動具が、剥離紙を二つ折りにして形成されたものである請求項１に記載の重量物のスライド方法。
【請求項４】
滑動具が、重量物の下面周縁に挟み込まれた状態とされている請求項１から請求項３のいずれかに記載の重量物のスライド方法。
【請求項５】
滑動具が、小片として重量物の下面周縁に複数個挟み込まれた状態とされている請求項４に記載の重量物のスライド方法。
【発明の詳細な説明】
【０００１】
【発明の属する技術分野】
本発明は、重量物のスライド方法に関し、特に重量物の位置決めを容易に行なうための重量物のスライド方法に関する。
【０００２】
【従来の技術】
従来、簡易な滑動具を用いて重量物をスライドないし滑動させる技術としては、摩擦抵抗の大きい上面部材と摩擦抵抗の小さい下面部材よりなる滑動具の上に重量物を載置して、重量物を横方向に押圧する技術が開示されている。（例えば、特許文献１、特許文献２参照）。
【０００３】
【特許文献１】
実開昭６０−８１９０６号公報（第１図）
【特許文献２】
実開昭６０−１４８７０８号公報（第１図）
【０００４】
【発明が解決しようとする課題】
しかし、この方法ではエンドレスコロ（例えば、チルタンク（チル社））のような搬送機で重量物を所定位置近くまで運んだ後において、その後のクレーン等による運搬の便宜のため重量物を数ｍｍ若しくは数ｃｍ移動させて位置決めを行なうことは技術的に困難である。
【０００５】
また、バールやテコまたはジャッキ等の道具を用いて人力で行なう方法も考えられるが、一人作業では位置決め作業に時間がかかり、また複数の人手をかけるとコスト的に問題が生じる。
【０００６】
本発明は、かかる事情に鑑みて行なわれたものであり、人手をかけず、かつ簡易な手段で重量物をスライドさせて所定位置に位置決めする方法を提供することを主たる目的とするものである。
【０００７】
【課題を解決するための手段】
本発明者は、剥離紙の剥離面を互いに重ね合わせた滑動具を用いることにより上記課題が解決できることを見出し、本発明を完成した。
【０００８】
すなわち、本発明の重量物のスライド方法は、紙基材上に剥離面が設けられた剥離紙を、その剥離面が互いに重ね合わされた滑動具として形成し、この滑動具を載置面とその上に置かれた重量物との間に挟み入れた状態で重量物を横方向に押圧することを特徴とするものである。
【０００９】
本発明のスライド方法によれば、重量物を横方向に押圧した場合において、滑動具の上側と下側に配置される上側剥離紙と下側剥離紙は、各々の紙基材の摩擦抵抗により、重量物と載置面に固定された状態が保持される一方で、各々の剥離面の低摩擦係数により、互いに重ね合わされた剥離面同士が相対的に押圧方向に滑動するので、弱い力でも重量物をスライドさせて所定位置に位置決めすることができる。
【００１０】
本発明では、上記の滑動具として、二枚の剥離紙から形成されたものが好ましく用いられる。
【００１１】
かかる滑動具を用いれば、滑動具の上側に配置される上側剥離紙は、横方向の押圧力を受けたときに、滑動方向について下側剥離紙から制限を受けることがないので、任意の方向に重量物をスライドさせることができる。
【００１２】
また、本発明では、上記の滑動具として、剥離紙を二つ折りにして形成されたものが好ましく用いられる。
【００１３】
かかる滑動具を用いれば、滑動具の上側に配置される上側剥離紙は、横方向の押圧力を受けたときに、折り目と略平行方向の滑動について下側剥離紙から制限を受けるので、折り目に対して略垂直方向に重量物をスライドさせることができる。すなわち、滑動具の折り目の方向に応じて重量物のスライド方向を一定方向に限定することができる。
【００１４】
また、上記の滑動具は、重量物の下面周縁に挟み込まれた状態で用いることが好ましい。このように滑動具を用いれば、滑動具の大きさが小さくてすむので、位置決め作業を安価に行なうことができる。具体的には、滑動具を、小片として重量物の下面周縁に複数個挟み込まれた状態で用いることが好ましい。
【００１５】
【発明の実施の形態】
以下、本発明を詳細に説明する。本発明は、紙基材上に剥離面が設けられた剥離紙を、その剥離面が互いに重ね合わされた滑動具として形成し、この滑動具を載置面とその上に置かれた重量物との間に挟み入れた状態で重量物を横方向に押圧することにより、重量物をスライドさせるものである。
【００１６】
本発明においてスライドさせる対象となる重量物は、大人一人では人力で、若しくは工具を用いて移動させることが困難な重量を有する物をいい、例えば１トン以上の重さを有する物が該当する。本発明では、上記の基準重量以上であれば、重量物の形状、大きさ、種類等については特に限定されるものではない。また、重量物の最大重量についても特に限定されるものではなく、一般的には重量物１つあたり３０トン以下であれば簡易にスライドさせることができる。
【００１７】
重量物の一例としては、造船関係では組立用台車、船体ブロック、コンテナ、各種台車等が挙げられ、鉄鋼関係では取鍋、地熱発電装置、各種実験装置、特殊クレーン、各種台車等が挙げられ、機械関係では工作機械、ボイラ、プレス、変圧器、各種台車等が挙げられる。また、土木関係では橋梁、ケイソン、鉄扉・コンクリート扉、家屋ブロック等が挙げられ、鉄道関係では橋梁等が挙げられ、建築関係では鉄扉、コンクリート扉、家屋ブロック等が挙げられる。
【００１８】
本発明において載置面とは、上記の重量物を仮置きする場合の土台となる面をいい、典型的には倉庫近辺や倉庫内などの床面が該当する。また、床面に板木などの仮置き台が配置されその上に重量物を置く場合には、仮置き台の上面が載置面となり、重量物を重ね置きする場合には、既に置かれた重量物の上面が載置面となる。
【００１９】
本発明で用いる滑動具とは、重量物を数ｍｍないし数ｃｍスライドさせるために、載置面と重量物の間に挟み入れた状態で用いるスライド補助具としての役割を有するものである。この滑動具は剥離紙からなり、この剥離紙の剥離面が互いに重ね合わされたものとして構成される。
【００２０】
なお、剥離紙とは、紙基材上に剥離面が設けられたものをいう。また、この剥離面は公知の材質から形成されていればよく、特に限定されるものではない。一般的には剥離面としてシリコーン樹脂などが好ましく用いられる。また、剥離紙の大きさについても、重量物の大きさに応じて適宜変更することができるので特に限定されるものではない。このような構成からなる剥離紙としては、例えば、セパック（王子化工社）、セパレート用紙（王子製紙社）、エスケーセパレーター（サンエー化研社）、吸水吸油剥離紙（大興製紙社）、剥離紙（巴川製紙所社）、ニッパシート（ニッパ社）、ＮＫハイレリーズ（日本加工製紙社）、バイナシート（藤森工業社）、キングリース・剥離フィルム（リンテック社）等の商品名で販売されているものが好適に用いられる。
【００２１】
図１は、本発明の第一実施例を示す外観斜視図である。図１では、載置面２としての床面に滑動具１を置き、次いでこの滑動具１の上に重量物３を置くことにより、載置面２と重量物３の間に滑動具１を挟み入れた状態で重量物３を横方向（図１では矢印左方向）にスライドさせる方法を示したものである。滑動具１は、二枚の剥離紙からなり、各々の剥離紙の剥離面が互いに重ね合わされたものとして構成されている。また、本実施例において滑動具１は、縦横１０ｃｍ程度の小片として、重量物３の下面の四隅に４個挟み込まれた状態とされている。
【００２２】
続いて、バールやテコなどの工具を用いて重量物３を横方向（図１では矢印左方向）に押圧することにより、重量物３を数ｍｍ〜数ｃｍスライドさせて位置決めが行なわれる。図２は、図１の重量物３の右下付近について押圧前後の滑動具１の状態を示す拡大参考図である。本発明のスライド方法によれば、重量物３を横方向に押圧した場合において、滑動具１の上側と下側に配置される上側剥離紙６と下側剥離紙７は、各々の紙基材４，４の摩擦抵抗により、重量物３と載置面２に固定された状態が保持される一方で、各々の剥離面５，５の低摩擦係数により、互いに重ね合わされた剥離面５，５が相対的に押圧方向に滑動するので、弱い力でも重量物３をスライドさせて所定位置に位置決めすることができる。
【００２３】
本発明によれば、重量物として最大１０トンまでは、一人でも短時間（数分程度）に位置決め作業を行なうことができる。また、重量物が１０トンを上回る場合には複数人で位置決め作業を行なえばよい。なお、滑動具の強度については、重量物がスライドする限り、位置決め作業中に破断する等の問題は生じない。
【００２４】
また、図１や図２に示すように、二枚の剥離紙からなり、その剥離面が互いに重ね合わされた滑動具１を用いれば、滑動具１の上側に配置される上側剥離紙６は、横方向の押圧力を受けたときに、滑動方向について下側剥離紙７から制限を受けることがないので、任意の方向に重量物３をスライドさせることができる。さらに、滑動具１を小片として、重量物３の下面周縁に複数個挟み込まれた状態で用いることにより、滑動具１の大きさが小さくてすむ（すなわち、滑動具３の使用量が少なくてすむ）ので、位置決め作業を安価に行なうことができる。
【００２５】
なお、本発明では、滑動具の大きさは、重量物の形状、大きさ、重量等に応じて適宜設定することができ、図１や図２に示すように、１０ｃｍ角前後の小片として、重量物の下面周縁（この場合は、重量物の下面四隅）に複数用いてもよいし、重量物の下面より大きな滑動具を１枚用いてもよい。また、重量物の大きさが小さく、重量も１トン前後である場合には、数ｃｍ角程度の滑動具を用いることもできる。
【００２６】
上記の如く重量物３をスライドさせて位置決めを終了した場合において、使用済みの滑動具１を抜き取りたいときには、位置決めした重量物をジャッキ等を用いて垂直方向に１〜数ｍｍ引き上げて滑動具を抜き取り、次いで重量物を引き上げ前の位置に戻せばよい。
【００２７】
また、実施例１で用いた滑動具の他の実施形態としては、剥離紙を二つ折りにして形成したものが挙げられる（図３参照）。かかる滑動具１１を用いれば、滑動具の上側に配置される上側剥離紙は、横方向の押圧力を受けたときに、折り目と略平行方向の滑動について下側剥離紙から制限を受けるので、折り目に対して略垂直方向に重量物をスライドさせることができる。すなわち、滑動具１１の折り目の方向に応じて重量物のスライド方向を一定方向に限定することができる。
【００２８】
また、滑動具の他の実施形態としては、折り目を付けずに剥離紙を折り返し、剥離紙の剥離面が内側に配置されるように形成されたものが挙げられる（図４参照）。また、１枚の剥離紙を手で適当な大きさに破って、その剥離面同士を重ね合わせたものを滑動具として用いてもよい。つまり、本発明で用いる滑動具は、剥離紙の剥離面が互いに重ね合わされた形態で構成されていれば足り、上記の実施例に開示された形態に限定されるものではない。
【００２９】
また、実施例１は、載置面としての床面に重量物１つを直置きする場合の位置決め方法を開示するものであるが、本発明は、かかる位置決め方法に限定されるものではなく、種々な位置決め方法に適用することができる。その一例としては、略同一規格の重量物について順次位置決めを行ないながら複数個重ねて置く場合が挙げられる。かかる位置決め作業に本発明を適用することにより、従来長時間かかっていた位置決め作業をより効率的に行なうことができる。
【００３０】
【発明の効果】
以上説明したように、本発明によれば、紙基材上に剥離面が設けられた剥離紙を、その剥離面が互いに重ね合わされた滑動具として形成し、この滑動具を載置面とその上に置かれた重量物との間に挟み入れた状態で重量物を横方向に押圧するので、人手をかけず、かつ簡易な手段で重量物をスライドさせて所定位置に位置決めすることができる。
【図面の簡単な説明】
【図１】本発明の第一実施例を示す外観斜視図である。
【図２】図１の重量物の右下付近を示す拡大参考図であり、（ａ）は押圧前、（ｂ）は押圧後の状態を示すものである。
【図３】本発明で用いる滑動具の第二実施例を示す外観斜視図である。
【図４】本発明で用いる滑動具の第三実施例を示す外観斜視図である。
【符号の説明】
１  滑動具
２  載置面
３  重量物
４  紙基材
５  剥離面
６  上側剥離紙
７  下側剥離紙
【図１】
2004168457.tif 000003
【図２】
2004168457.tif 000004
【図３】
2004168457.tif 000005
【図４】
2004168457.tif 000006